(57)【特許請求の範囲】
【請求項１】
全身模型と、
前記全身模型に内蔵され、人体の血管を模した疑似血管回路と、
前記疑似血管回路内に疑似血液を脈動するように流すポンプと、
前記疑似血管回路内に流れる前記疑似血液の流量を制御する流量制御部と、
前記全身模型の一部に設けられ、人体の表層部分を模した穿刺部であって、前記全身模型の外側から当該穿刺部を通じて前記疑似血管回路に穿刺針を挿入可能に構成された穿刺部と、
を備え、
前記穿刺部は、前記全身模型の一方の腕部に設けられ、
前記疑似血管回路は、少なくとも前記全身模型の両方の腕部を通るように設けられている、透析用穿刺シミュレータ。
【請求項２】
前記全身模型は、姿勢を変えられるように複数の関節部位を有する、請求項１に記載の透析用穿刺シミュレータ。
【請求項３】
前記穿刺部は、前記穿刺部を介して前記疑似血管回路を押圧したときに前記疑似血液の脈動を認識できるように、前記疑似血管回路よりも軟らかい材質で構成されている、請求項１又は２に記載の透析用穿刺シミュレータ。
【請求項４】
前記穿刺部は、当該穿刺部を介して前記疑似血管回路が視認可能な材質で構成されている、請求項１〜３のいずれか１つに記載の透析用穿刺シミュレータ。
【請求項５】
前記疑似血液を貯留する疑似血液貯留タンクを更に備え、
前記疑似血液貯留タンクは、前記全身模型に内蔵されている、
請求項１〜４のいずれか１つに記載の透析用穿刺シミュレータ。
【請求項６】
前記穿刺部は、交換可能に構成されている、請求項１〜５のいずれか１つに記載の透析用穿刺シミュレータ。
【請求項７】
前記穿刺部の近傍に位置する前記疑似血管回路の一部は、交換可能に構成されている、請求項１〜６のいずれか１つに記載の透析用穿刺シミュレータ。
【請求項８】
前記穿刺部は、前記全身模型の腕部と、前記全身模型の頸部又は鼠蹊部の少なくともいずれか一方とに設けられている、請求項１〜７のいずれか１つに記載の透析用穿刺シミュレータ。
【請求項９】
全身模型と、
前記全身模型に内蔵され、人体の血管を模した疑似血管回路と、
前記疑似血管回路内に疑似血液を脈動するように流すポンプと、
前記疑似血管回路内に流れる前記疑似血液の流量を制御する流量制御部と、
前記全身模型の一部に設けられ、人体の表層部分を模した穿刺部であって、前記全身模型の外側から当該穿刺部を通じて前記疑似血管回路に穿刺針を挿入可能に構成された穿刺部と、
を備え、
前記疑似血液を貯留する疑似血液貯留タンクを更に備え、
前記疑似血液貯留タンクは、前記全身模型に内蔵されている、
透析用穿刺シミュレータ。
【発明の詳細な説明】
【技術分野】
【０００１】
本発明は、使用者が臨床現場における血液透析を擬似的に体験し、血液透析に際して直面しうるトラブルに対する訓練を行うための透析用穿刺シミュレータに関する。
【背景技術】
【０００２】
一般に、人工透析として血液透析が広く知られている。血液透析は、血液を一旦患者の体外に取り出して、ダイアライザと呼ばれる血液透析器を通して老廃物や過剰な水分を取り除き、その後、患者の体内に戻して血液を浄化する透析療法である。
【０００３】
この血液透析では、患者の血液を血液透析器へ取り出すための動脈回路の穿刺針と、血液透析器を通過した血液を患者に戻す静脈回路の穿刺針とを、患者の腕部等に穿刺する動作が必要になる。これらの穿刺針の刺し方が悪い場合、穿刺針によって血管やその周囲の組織が傷害される恐れがあるだけでなく、静脈回路を通じて患者に戻された血液が再び動脈回路を通じて血液透析器へ取り出されるという再循環（リサーキュレーション）を起こし、患者の体内の老廃物や過剰な水分を含んだ血液を効果的に浄化できないことが起こり得る。このため、穿刺針を刺す訓練を行うための透析用穿刺シミュレータが求められている。
【０００４】
従来の透析用穿刺シミュレータとしては、例えば、特許文献１（特開２００２−３２５８３９号公報）に開示されたものが知られている。特許文献１には、疑似血液が流れる流路が内部に形成された腕模型を備え、血液透析器の動脈回路及び静脈回路の穿刺針を腕模型の内部の流路に刺すシミュレーションを行えるように構成された透析用穿刺シミュレータが開示されている。
【先行技術文献】
【特許文献】
【０００５】
【特許文献１】特開２００２−３２５８３９号公報
【発明の概要】
【発明が解決しようとする課題】
【０００６】
しかしながら、特許文献１の透析用穿刺シミュレータでは、シミュレーション効果を一層向上させる観点において、未だ改善の余地がある。
【０００７】
本発明の目的は、前記課題を解決することにあって、シミュレーション効果を一層向上させることができる透析用穿刺シミュレータを提供することにある。
【課題を解決するための手段】
【０００８】
前記目的を達成するために、本発明に係る透析用穿刺シミュレータは、
全身模型と、
前記全身模型に内蔵され、人体の血管を模した疑似血管回路と、
前記疑似血管回路内に疑似血液を脈動するように流すポンプと、
前記疑似血管回路内に流れる前記疑似血液の流量を制御する流量制御部と、
前記全身模型の一部に設けられた穿刺部であって、前記全身模型の外側から当該穿刺部を通じて前記疑似血管回路に穿刺針を挿入可能に構成された穿刺部と、
を備えることを特徴とする。
【発明の効果】
【０００９】
本発明に係る透析用穿刺シミュレータによれば、シミュレーション効果を一層向上させることができる。
【図面の簡単な説明】
【００１０】
【図１】本発明の実施形態に係る透析用穿刺シミュレータの斜視図である。
【図２】図１の透析用穿刺シミュレータの構成を模式的に示す平面図である。
【発明を実施するための形態】
【００１１】
（本発明の基礎となった知見）
本発明者らは、シミュレーション効果を一層向上させるため、鋭意検討した結果、以下の新規な知見を得た。
【００１２】
従来の透析用穿刺シミュレータでは、腕模型に対して穿刺針を刺す訓練を行うことができるので、再循環を起こさない程度のシミュレーション効果を得ることができる。
【００１３】
しかしながら、実際の臨床現場では、穿刺針を刺す前に血液の脈動を確認し、当該脈動により患者の状態を確認した後、透析を行うか否かを判断することが行われている。従来のシミュレータでは、疑似血液は定常流で流されており、脈動を確認するシミュレーションを行うことはできない。
【００１４】
また、血液透析を行う場合には、患者によって血流量に差があるものの、おおよそ１分間に約２００ｍｌの血液を血液透析器に循環させる必要がある。腕部の静脈に穿刺針を刺して血液透析を行う場合、通常、血液量が足りないため、動脈と静脈とをつなぎ合わせたシャントを作製することが事前に行われる。しかしながら、緊急時などでシャントを作製することができずに透析を行わなければならないことも有り得る。この場合、通常、静脈の血管が太い頸部や鼠蹊部を穿刺部として穿刺針を刺すことが行われる。従来のシミュレータでは、頸部や鼠蹊部に対して穿刺針を刺すシミュレーションを行うことはできない。
【００１５】
また、臨床現場では血液透析前に血圧を確認し、当該血圧により患者の状態を確認した後、透析を行うか否かを判断することも行われている。さらに、血液透析中は、通常、血圧が緩やかに下がる傾向がある。このため、例えば、血圧の過剰な低下を防ぐために、透析中に血圧測定を行うことがある。従来のシミュレータでは、透析前、透析中に血圧測定するシミュレーションを行うことはできない。
【００１６】
また、血液透析中は、血液中の老廃物や過剰な水分が取り除かれて体内に戻されるので、当該取り除いた分だけ患者の体重が低下することになる。従来のシミュレータでは、この患者の体重の低下を再現することはできない。
【００１７】
また、血液透析は、仰向けに横たわった状態で行われることが通常であるが、着座した状態で行われることもある。患者の姿勢が違う場合、透析の際に障害になる部位も異なり、腕部の曲げ方なども異なる。また、この場合、全身の血圧の分布も異なる。従来のシミュレータでは、患者の姿勢を変えてシミュレーションを行うことはできない。
【００１８】
本発明者らは、前記課題を新たに見出し、全身模型に疑似血管回路を内蔵し、当該疑似血管回路内に疑似血液を脈動するように流した状態で、透析のシミュレーションを行えるようにすることで、シミュレーション効果を一層向上できることを見出した。これらの点を踏まえて、本発明者らは、以下の発明に至った。
【００１９】
本発明の第１態様によれば、全身模型と、
前記全身模型に内蔵され、人体の血管を模した疑似血管回路と、
前記疑似血管回路内に疑似血液を脈動するように流すポンプと、
前記疑似血管回路内に流れる前記疑似血液の流量を制御する流量制御部と、
前記全身模型の一部に設けられ、人体の表層部分を模した穿刺部であって、前記全身模型の外側から当該穿刺部を通じて前記疑似血管回路に穿刺針を挿入可能に構成された穿刺部と、
を備える、透析用穿刺シミュレータを提供する。
【００２０】
前記第１態様によれば、全身模型に疑似血管回路を内蔵し、当該疑似血管回路内に疑似血液を脈動するように流すよう構成されている。これにより、使用者は、穿刺針を穿刺部に刺す前に疑似血液の脈動を確認することができるので、より臨床における実務に近い形でシミュレーションを行うことができ、シミュレーション効果を一層向上させることができる。
【００２１】
本発明の第２態様によれば、前記全身模型は、姿勢を変えられるように複数の関節部位を有する、第１態様に記載の透析用穿刺シミュレータを提供する。
【００２２】
前記第２態様によれば、全身模型の姿勢を変えてシミュレーションを行うことができるので、ベッド上での様々な姿勢での透析や着座した状態での透析など、より臨床における実務に近い形でシミュレーションを行うことができ、シミュレーション効果を一層向上させることができる。
【００２３】
本発明の第３態様によれば、前記疑似血管回路は、前記穿刺部を介して前記疑似血管回路を押圧したときに前記疑似血液の脈動を認識できるように、前記疑似血管回路よりも軟らかい材質で構成されている、第１又は２態様に記載の透析用穿刺シミュレータを提供する。
【００２４】
本発明の第４態様によれば、前記穿刺部は、当該穿刺部を介して前記疑似血管回路が視認可能な材質で構成されている、第１〜３態様のいずれか１つに記載の透析用穿刺シミュレータを提供する。
【００２５】
前記第３又は４態様によれば、使用者が疑似血管や疑似血液の脈動を確認できるので、より臨床における実務に近い形でシミュレーションを行うことができ、シミュレーション効果を一層向上させることができる。
【００２６】
本発明の第５態様によれば、前記疑似血液を貯留する疑似血液貯留タンクを更に備え、
前記疑似血液貯留タンクは、前記全身模型に内蔵されている、
第１〜４態様のいずれか１つに記載の透析用穿刺シミュレータを提供する。
【００２７】
前記第５態様によれば、疑似血液貯留タンクを全身模型に内蔵しているので、透析中に過剰な水分等が取り除かれて全身模型に戻された場合、全身模型の重さが低下することになる。すなわち、透析を続けることによる患者の体重の低下を再現することができる。また、疑似血液貯留タンクを全身模型に内蔵することで、全身模型の重量を重くして、患者の体重に近似させることができる。これにより、より臨床における実務に近い形でシミュレーションを行うことができ、シミュレーション効果を一層向上させることができる。
【００２８】
本発明の第６態様によれば、前記穿刺部は、交換可能に構成されている、第１〜５態様のいずれか１つに記載の透析用穿刺シミュレータを提供する。
【００２９】
前記第６態様によれば、穿刺部を交換することで、繰り返しシミュレーションを行うことが可能になり、シミュレーション効果を一層向上させることができる。
【００３０】
本発明の第７態様によれば、前記穿刺部の近傍に位置する前記疑似血管回路の一部は、交換可能に構成されている、第１〜６態様のいずれか１つに記載の透析用穿刺シミュレータを提供する。
【００３１】
前記第７態様によれば、疑似血管回路の一部を交換することで、繰り返しシミュレーションを行うことが可能になり、シミュレーション効果を一層向上させることができる。
【００３２】
本発明の第８態様によれば、前記穿刺部は、前記全身模型の腕部と、前記全身模型の頸部又は鼠蹊部の少なくともいずれか一方とに設けられている、第１〜７態様のいずれか１つに記載の透析用穿刺シミュレータを提供する。
【００３３】
前記第８態様によれば、腕部だけでなく、頸部又は鼠蹊部に対しても穿刺部としてシミュレーションを行うことができるので、シミュレーション効果を一層向上させることができる。
【００３４】
本発明の第９態様によれば、前記穿刺部は、前記全身模型の一方の腕部に設けられ、
前記疑似血管回路は、少なくとも前記全身模型の両方の腕部を通るように設けられている、第１〜８態様のいずれか１つに記載の透析用穿刺シミュレータを提供する。
【００３５】
前記第９態様によれば、疑似血管回路が全身模型の他方の腕部にも設けられているので、全身模型の一方の腕部で透析のシミュレーションを行いながら、全身模型の他方の腕部で血圧を測定することが可能になる。これにより、より臨床における実務に近い形でシミュレーションを行うことができ、シミュレーション効果を一層向上させることができる。
【００３６】
以下、本発明の実施形態について、図面を参照しながら説明する。
【００３７】
《実施形態》
図１は、本発明の実施形態に係る透析用穿刺シミュレータの斜視図である。図２は、図１の透析用穿刺シミュレータの構成を模式的に示す平面図である。
【００３８】
本実施形態に係る透析用穿刺シミュレータ１は、図１に示すように、人間の身体を模した全身模型１を備えている。全身模型１は、頭部１１と、頸部１２と、胴体部１３と、左右の腕部１４と、左右の脚部１５とを備えている。全身模型１は、仰向けに横たわった姿勢や着座姿勢など、姿勢を変えられるように複数の関節部位を有している。全身模型１は、例えば、軟質ポリ塩化ビニルにより構成されている。
【００３９】
全身模型１には、図２に示すように、人体の血管を模した疑似血管回路２が内蔵されている。本実施形態において、疑似血管回路２は、頸部１２と、胴体部１３と、左右の腕部１４と、左右の脚部１５とを通るように設けられている。図２において、太線で示す疑似血管回路２は、動脈血管を模した疑似血管回路であり、細線で示す疑似血管回路２は、静脈血管を模した疑似血管回路である。疑似血管回路２は、例えば、天然ゴム、ラテックス、合成樹脂等で構成されたチューブやパイプで構成されている。また、疑似血管回路２は、例えば、全身模型１に設けられた管状の空洞であってもよい。
【００４０】
また、全身模型１には、疑似血液を貯留する疑似血液貯留タンク３が内蔵されている。疑似血液には、老廃物として添加剤が混入されている。疑似血液貯留タンク３は、疑似血管回路２を介してポンプ４と接続されている。
【００４１】
ポンプ４は、疑似血管回路２内に疑似血液を脈動するように流すポンプである。ポンプ４は、例えば、ローラポンプ、ダイヤフラムポンプなどである。ポンプ４がローラポンプである場合、ポンプのＯＮ、ＯＦＦの切換えを繰り返すことによって疑似血液を脈動させることができる。疑似血液の脈動回数は、心拍数に相当する。例えば、ポンプの回転時間を０．２秒とし、ポンプの停止時間を変化させることで、疑似血液の脈動回数を変化させることができる。
【００４２】
ポンプ４は、疑似血管回路２を介して流量制御部５に接続されている。疑似血液貯留タンク３内の疑似血液は、ポンプ４が駆動することによって疑似血管回路２内を流れ、流量制御部５に流れ込む。この流量は、ポンプ４を駆動するモータに印加する電圧を変化させることにより調整することができる。なお、疑似血管回路２内の疑似血液の流量を監視するために頸部１２、胴体部１３等の各部に流量センサが適宜設けられてもよい。
【００４３】
流量制御部５は、図示しない比例制御弁を有し、当該比例制御弁の開度を制御することにより、疑似血管回路２内に流れる疑似血液の流量を制御するものである。これにより、流量制御部５は、心臓を模した機能を有する。疑似血管回路２は、流量制御部５を中心として、頸部１２、左右の腕部１４、左右の脚部１５へ分岐し、各部を通った後、再び流路制御部５に戻る複数の経路に設けられている。流量制御部５は、各経路に配置された疑似血管回路２内を流れる疑似血液の流量を個別に制御（分散制御）できるように構成されている。流量制御部５は、例えば、腕部１４の疑似血管回路２内を流れる疑似血液の流量を１５０ｍｌ／ｍｉｎ〜４５０ｍｌ／ｍｉｎとなるように制御する。また、流量制御部５は、例えば、頸部１２及び脚部１５の疑似血管回路２内を流れる疑似血液の流量を１０００ｍｌ／ｍｉｎ〜１２００ｍｌ／ｍｉｎとするように制御する。疑似血液の流量は、血圧に相当する。
【００４４】
ポンプ４と流量制御部５とは、無線又は有線でコントローラ６と電気的に接続され、コントローラ６に入力されたユーザの指示に基づいて駆動を制御される。ユーザがコントローラ６に所望の心拍数及び血圧を入力することで、ポンプ４及び流量制御部５が当該心拍数及び血圧に対応するように疑似血液の脈動回数及び流量を変化させる。コントローラ６は、例えば、タブレット端末にインストールされたアプリケーションである。
【００４５】
また、全身模型１の一部には、人体の表層部分を模した穿刺部７が設けられている。本実施形態において、穿刺部７は、頸部１２と、左右の腕部１４と、胴体部１３と各脚部１５との間に位置する左右の鼠蹊部１６とに設けられている。穿刺部７は、例えば、エチレン系エラストマー、軟質シリコン、発泡ウレタン等で構成されている。
【００４６】
穿刺部７は、全身模型１の外側から当該穿刺部７を通じて疑似血管回路２に穿刺針を挿入可能に構成されている。使用者は、血液透析器８に接続された動脈回路８１の穿刺針を穿刺部７に刺すことで、疑似血管回路２内の疑似血液を血液透析器８へ取り出すことができる。また、使用者は、血液透析器８に接続された静脈回路８２の穿刺針を穿刺部７に刺すことで、血液透析器８を通過した疑似血液を疑似血管回路２内に戻すことができる。血液透析器８、動脈回路８１、及び静脈回路８２については、従来公知のものを使用することができる。また、動脈回路８１及び静脈回路８２は、例えば、天然ゴム、ラテックス、合成樹脂等のチューブやパイプで構成されてもよい。
【００４７】
本実施形態によれば、全身模型１に疑似血管回路２を内蔵し、当該疑似血管回路２内に疑似血液を脈動するように流すよう構成されている。これにより、使用者は、穿刺針を穿刺部７に刺す前に疑似血液の脈動を確認することができるので、より臨床における実務に近い形でシミュレーションを行うことができ、シミュレーション効果を一層向上させることができる。
【００４８】
また、本実施形態によれば、ユーザがコントローラ６に所望の心拍数及び血圧を入力することで、ポンプ４及び流量制御部５が当該心拍数及び血圧に対応するように疑似血液の脈動回数及び流量を変化させることができる。これにより、例えば、血管の狭窄状態などを再現することができ、脱送血不良や再循環などの実際の透析の際に起こり得る不具合を意図的に発生させることも可能になる。従って、より臨床における実務に近い形でシミュレーションを行うことができ、シミュレーション効果を一層向上させることができる。
【００４９】
なお、例えば、穿刺部７の上流側や下流側に弁を設け、当該弁を開閉することで脱血不良時や返血時の血圧、血流量の上昇又は低下を再現することもできる。より具体的には、穿刺部７の上流側に弁を設け、当該弁を閉じることによって、脱血不良時の血圧、血流量の低下を再現することができる。また、穿刺部７の下流側に弁を設け、当該弁を閉じることによって、返血時の血圧、血流量の上昇を再現することができる。これにより、例えば、透析中に過剰な除水による血圧降下が生じた場合に、除水量の軽減や体内への補液、昇圧薬の使用などの対策を取るシミュレーションを行うことが可能になる。
【００５０】
また、本実施形態によれば、血液透析器８、動脈回路８１、及び静脈回路８２については、従来公知のものを使用することができるので、より臨床現場に近い状況を再現することができる。
【００５１】
また、本実施形態によれば、全身模型１が姿勢を変えられるように複数の関節部位を有しているので、仰向けに横たわった姿勢や着座姿勢など、全身模型１の姿勢を変えてシミュレーションを行うことができる。従って、より臨床における実務に近い形でシミュレーションを行うことができ、シミュレーション効果を一層向上させることができる。
【００５２】
また、本実施形態によれば、疑似血液貯留タンク３を全身模型１に内蔵しているので、透析中に疑似血液中の添加物や過剰な水分が取り除かれて全身模型１に戻された場合、全身模型１の重さが低下することになる。すなわち、透析を続けることによる患者の体重の低下を再現することができる。従って、全身模型１の重さが過剰に低下した場合には、アラームを鳴らして使用者に警告することなどの対応が可能になる。また、疑似血液貯留タンク３を全身模型１に内蔵することで、全身模型１の重量を重くして、患者の体重に近似させることができる。これにより、より臨床における実務に近い形でシミュレーションを行うことができ、シミュレーション効果を一層向上させることができる。
【００５３】
また、本実施形態によれば、穿刺部７が、頸部１２、腕部１４、及び左鼠蹊部１６に設けられているので、腕部１４だけでなく、頸部１２及び鼠蹊部１６に対しても穿刺部７としてシミュレーションを行うことができる。従って、腕部１４にシャントを作製することができない状況においても、頸部１２や鼠蹊部１６に対してシミュレーションを行うことができ、シミュレーション効果を一層向上させることができる。
【００５４】
また、本実施形態によれば、疑似血管回路２が全身模型１の両方の腕部１４を通るように設けられているので、図２に示すように、一方の腕部１４を血液透析器８につなげ、他方の腕部１４に血圧測定器９を適用することができる。これにより、一方の腕部１４で透析のシミュレーションを行う前に、もしくは行いながら、他方の腕部１４で血圧（疑似血液の流量）を測定することが可能になる。なお、他方の腕部１４には、疑似血管回路２に代えて、空気ポンプ等によって擬似的な血圧となるように所望の圧力を掛けられた気体が充填された圧測定用回路を設けてもよい。これにより、一方の腕部１４で透析のシミュレーションを行う前に、もしくは行いながら、他方の腕部１４で血圧（疑似血液の流量）を測定することが可能になる。従って、より臨床における実務に近い形でシミュレーションを行うことができ、シミュレーション効果を一層向上させることができる。また、圧測定用回路内には液体ではなく気体を充填することにより、液漏れが発生するリスクを無くすことができる。
【００５５】
なお、穿刺部７は、穿刺部７を介して疑似血管回路２を押圧したときに疑似血液の脈動を認識できるように、疑似血管回路２よりも軟らかい材質で構成されることが好ましい。これにより、より臨床における実務に近い形でシミュレーションを行うことができ、シミュレーション効果を一層向上させることができる。
【００５６】
また、穿刺部７は、当該穿刺部７を介して疑似血管回路２が視認可能な材質で構成されることが好ましい。これにより、より臨床における実務に近い形でシミュレーションを行うことができ、シミュレーション効果を一層向上させることができる。
【００５７】
また、穿刺部７は、交換可能に構成されることが好ましい。穿刺部７を交換することで、繰り返しシミュレーションを行うことが可能になり、シミュレーション効果を一層向上させることができる。
【００５８】
また、穿刺部７の近傍に位置する疑似血管回路２の一部は、交換可能に構成されることが好ましい。疑似血管回路２の一部を交換することで、繰り返しシミュレーションを行うことが可能になり、シミュレーション効果を一層向上させることができる。なお、もちろん、疑似血管回路２の全部を交換可能に構成してもよい。
【００５９】
また、前述したように、患者の姿勢が異なると、全身の血圧の分布も異なる。このため、ポンプ４及び流量制御部５は、全身模型１の姿勢に応じて疑似血液の脈動回数及び流量を調整するように制御されてもよい。これにより、より臨床における実務に近い形でシミュレーションを行うことができ、シミュレーション効果を一層向上させることができる。なお、全身模型１の姿勢は、例えば、頭部１１、胴体部１３、腕部１４などの各部に位置センサ（図示せず）を設けて、当該位置センサの検知結果に基づいて判断することができる。
【００６０】
また、腕部１４には、採血用の穿刺部７と返血用の穿刺部７とを設け、当該２つの穿刺部７間をつなぐ疑似血管回路２内に逆止弁（図示せず）を設けることが好ましい。これにより、再循環が発生することを抑えることができる。
【００６１】
なお、本発明は前記実施形態に限定されるものではなく、その他種々の態様で実施できる。例えば、前記では、穿刺部７を、頸部１２と、左右の腕部１４と、鼠蹊部１６とに設けられるものとしたが、本発明はこれに限定されない。穿刺部７は、全身模型１の少なくとも１箇所に設けられればよい。
【００６２】
また、前記では、血圧測定器９が穿刺部７につなげられるものとしたが、本発明はこれに限定されない。血圧測定器９は、疑似血管回路２内の疑似血液の流量が測定可能な位置につなげられればよい。例えば、穿刺部７に代えて、人間の皮膚を模したシリコン製の血圧測定部を設け、当該血圧測定部と血圧測定器９とをつなぐようにしてもよい。
【産業上の利用可能性】
【００６３】
本発明に係る透析用穿刺シミュレータは、シミュレーション効果を一層向上させることができるので、特に、医師や看護師、臨床工学技士などの医療従事者の透析訓練に有用である。
【符号の説明】
【００６４】
１    透析用穿刺シミュレータ
２    疑似血管回路
３    疑似血液貯留タンク
４    ポンプ
５    流量制御部
６    コントローラ
７    穿刺部
８    血液透析器
９    血圧測定器
１１    頭部
１２    頸部
１３    胴体部
１４    腕部
１５    脚部
１６    鼠蹊部
８１    動脈回路
８２    静脈回路
【図１】
0006759686.tif 000002
【図２】
0006759686.tif 000003